(57)【要約】【課題】玄関の上方を広く覆うことができるとともに、雨水を効率良く集水でき、しかも、外観性の向上を図ることが可能な玄関庇および玄関庇の取付構造を提供することを目的とする。【解決手段】出窓６の前面に固定される庇本体２０と、庇本体２０の両端部に一体形成され、外壁側端部が外壁３に固定される庇袖部３０，３０と、を備える。庇本体２０は、当該庇本体２０の軒先側端部側に設けられる樋部２２と、当該庇本体２０の出窓側端部に設けられる傾斜面部２４と、樋部２２に設けられるドレーン２５と、を有する。庇袖部３０，３０は、外壁３側から庇本体２０の樋部２２に向かう水勾配がある排水溝３２，３２を有する。【選択図】図２
2014190013.tif 000002
【特許請求の範囲】
【請求項１】
玄関上の外壁から前方に突出するようにして設けられた出窓の下端部に取り付けられる玄関庇において、
前記出窓の前面に固定される庇本体と、
前記庇本体の両端部に一体形成され、外壁側端部が前記外壁に固定される庇袖部と、を備えており、
前記庇本体は、
当該庇本体の軒先側端部側に配置され、当該庇本体の幅方向に沿って、かつ上面に開口して設けられる樋部と、
当該庇本体の出窓側端部に設けられ、前記出窓の前面側から前記樋部に向かう水勾配がある傾斜面部と、
前記樋部に設けられるドレーンと、を有しており、
前記庇袖部は、
前記外壁側から前記庇本体の前記樋部に向かう水勾配があり、かつ当該庇袖部の上面に開口する排水溝を有することを特徴とする玄関庇。
【請求項２】
請求項１に記載の玄関庇において、
前記庇袖部は、当該庇袖部の出窓側端部に設けられ、前記出窓の側面側から前記排水溝に向かう水勾配がある傾斜面部を有しており、
当該傾斜面部は、前記庇本体の前記傾斜面部と一体形成されていることを特徴とする玄関庇。
【請求項３】
請求項１または２に記載の玄関庇において、
前記玄関を有する建物の施工完了後における前記庇本体および前記庇袖部の出窓側端部の上端部と軒先側端部の上端部とが略等しい高さに位置することを特徴とする玄関庇。
【請求項４】
請求項１〜３のいずれか一項に記載の玄関庇において、
前記出窓の下面と前記庇本体の下面と前記庇袖部の下面にわたって設けられる軒天井部を備えることを特徴とする玄関庇。
【請求項５】
請求項１〜４のいずれか一項に記載の玄関庇が、前記出窓の下端部に取り付けられてなる玄関庇の取付構造であって、
前記出窓は平面視矩形状に形成されており、
前記玄関庇は、前記庇本体と前記庇袖部とによって平面視略凹字状に形成されており、
前記玄関庇は、当該玄関庇の内側面が前記出窓の外側面に接するようにして前記出窓および前記外壁に固定されていることを特徴とする玄関庇の取付構造。
【発明の詳細な説明】
【技術分野】
【０００１】
本発明は、玄関上の外壁から前方に突出するようにして設けられた出窓の下端部に取り付けられる玄関庇と、この玄関庇の取付構造に関する。
【背景技術】
【０００２】
従来、玄関上の外壁から出窓を前方に突出するようにして設け、当該出窓の床を、玄関庇として用いる技術が知られている（例えば、特許文献１参照）。特許文献１に記載の玄関庇は、その幅が、出窓の幅と等しく設定されている。また、この玄関庇は、出窓の床を兼ねるものであり、玄関の直上階の床の一部であって、かつ外壁よりも突出する部分によって構成されている。
【０００３】
また、特許文献２には、住宅の玄関等の開口部の上部に取り付けられる庇が開示されている。この庇は、平面視略凹字状に形成されており、外壁から突出する平面視矩形状の構造体に対して嵌合されるようにして外壁に取り付けられている。
【先行技術文献】
【特許文献】
【０００４】
【特許文献１】特開平０９−０７２１６２号公報
【特許文献２】意匠登録第１１９７１５２号公報
【発明の概要】
【発明が解決しようとする課題】
【０００５】
ところで、特許文献１に記載の玄関庇は出窓の床を兼ねているため、その出窓の下端部の分だけ玄関の上方を覆うことができるが、出窓の下端部の分だけでは広さが足りず、玄関の外側では雨を凌ぎにくい場合がある。このため、特許文献２に記載のような凹字状の庇を出窓の下端部に取り付けて、より広い範囲で玄関の上方を覆いたいという要望があった。
ところが、特許文献２に記載のような庇は、上面が外壁側から軒先側端部まで下り勾配となっているので、雨水が勢いを付けて下方に落ちる場合がある。すると、泥水等が飛び跳ねて外壁を汚したり、玄関開口部から入って玄関を汚したりする場合がある。これを防ぐために、庇の軒先側端部に沿って軒樋を取り付けて雨水を効率良く集水することが求められるが、軒樋の取り付けが想定された庇でない場合は、せっかく軒樋を取り付けても効率良く集水できなかったり、軒樋を取り付けたことによって外観性の向上が図りにくくなったりする場合がある。
【０００６】
本発明の課題は、玄関の上方を広く覆うことができるとともに、雨水を効率良く集水でき、しかも、外観性の向上を図ることが可能な玄関庇および玄関庇の取付構造を提供することを目的とする。
【課題を解決するための手段】
【０００７】
請求項１に記載の発明は、例えば図１〜図１１に示すように、玄関上の外壁３から前方に突出するようにして設けられた出窓６の下端部に取り付けられる玄関庇１０において、
前記出窓６の前面に固定される庇本体２０と、
前記庇本体２０の両端部に一体形成され、外壁側端部が前記外壁３に固定される庇袖部３０，３０と、を備えており、
前記庇本体２０は、
当該庇本体２０の軒先側端部側に設けられ、当該庇本体２０の幅方向に沿って、かつ上面に開口して設けられる樋部２２と、
当該庇本体２０の出窓側端部に設けられ、前記出窓６の前面側から前記樋部２２に向かう水勾配がある傾斜面部２４と、
前記樋部２２に設けられるドレーン２５と、を有しており、
前記庇袖部３０，３０は、
前記外壁３側から前記庇本体２０の前記樋部２２に向かう水勾配があり、かつ当該庇袖部３０，３０の上面に開口する排水溝３２，３２を有することを特徴とする。
【０００８】
請求項１に記載の発明によれば、前記出窓６の下端部に、前記庇本体２０と、当該庇本体２０と一体形成される前記庇袖部３０，３０とが設けられるので、前記出窓６の下端部だけで前記玄関の上方を覆う場合に比して、より広い範囲で前記玄関の上方を覆うことができる。これによって、前記玄関の外側で雨を凌ぎやすくなる。
また、前記庇本体２０の出窓側端部に前記傾斜面部２４が設けられているので、前記出窓６の前面から前記庇本体２０に向かって流れ落ちる雨水を、前記傾斜面部２４を通じて前記樋部２２へと流すことができる。さらに、前記庇袖部３０，３０は、前記樋部２２に向かう水勾配がある前記排水溝３２，３２を有するので、前記庇袖部３０，３０に降った雨水を、前記排水溝３２，３２を通じて前記樋部２２へと流すことができる。しかも、前記ドレーン２５に対して例えば竪樋等を取り付けることによって前記樋部２２に集められた雨水を排出することができる。これによって、前記出窓６から流れ落ちる雨水や、前記庇本体２０および前記庇袖部３０，３０に降った雨水を、前記樋部２２によって効率良く集水できるので、雨水が勢いよく下方に落ちることを防ぐことができる。
また、前記庇本体２０は前記樋部２２を備え、前記樋部２２の取り付けが想定されたものであるから、前記庇本体２０に対する納まりが良い。しかも、前記樋部２２は前記庇本体２０の上面に開口するものであるため、下から前記庇本体２０を見上げても前記樋部２２が目に入ることがないので、外観性の向上を図ることができる。
【０００９】
請求項２に記載の発明は、請求項１に記載の玄関庇１０において、
前記庇袖部３０，３０は、当該庇袖部３０，３０の出窓側端部に設けられ、前記出窓６の側面側から前記排水溝３２，３２に向かう水勾配がある傾斜面部３４，３４を有しており、
当該傾斜面部３４，３４は、前記庇本体２０の前記傾斜面部２４と一体形成されていることを特徴とする。
【００１０】
請求項２に記載の発明によれば、前記庇袖部３０，３０の出窓側端部に前記傾斜面部３４，３４が設けられているので、前記出窓６の側面から前記庇袖部３０，３０に向かって流れ落ちる雨水を、前記傾斜面部３４，３４を通じて前記排水溝３２，３２へと流すことができる。
また、前記庇袖部３０，３０の前記傾斜面部３４，３４と前記庇本体２０の前記傾斜面部２４とが一体形成されているので、これら傾斜面部２４，３４同士の間における防水性を確保できる。
【００１１】
請求項３に記載の発明は、請求項１または２に記載の玄関庇１０において、
前記玄関を有する建物１の施工完了後における前記庇本体２０および前記庇袖部３０，３０の出窓側端部の上端部と軒先側端部の上端部とが略等しい高さに位置することを特徴とする。
【００１２】
請求項３に記載の発明によれば、前記庇本体２０および前記庇袖部３０，３０の出窓側端部の上端部と軒先側端部の上端部とが略等しい高さに位置するので、前記玄関庇１０を、下から見上げるだけでなく、遠くからまたは多方向から見た場合であっても、前記庇本体２０の上面に前記樋部２２があることを気付かせにくく、より一層、外観性の向上に貢献できる。
【００１３】
請求項４に記載の発明は、請求項１〜３のいずれか一項に記載の玄関庇１０において、
前記出窓６の下面と前記庇本体２０の下面と前記庇袖部３０，３０の下面にわたって設けられる軒天井部４０を備えることを特徴とする。
【００１４】
請求項４に記載の発明によれば、前記出窓６の下面と前記庇本体２０の下面と前記庇袖部３０，３０の下面にわたって設けられる軒天井部４０を備えるので、この軒天井部４０によって、前記出窓６と前記庇本体２０と前記庇袖部３０，３０との継目を遮蔽でき、前記出窓６と前記庇本体２０と前記庇袖部３０，３０との一体感を向上させることができるとともに、外観性の向上を図ることができる。
【００１５】
請求項５に記載の発明は、例えば図１〜図１１に示すように、請求項１〜４のいずれか一項に記載の玄関庇１０が、前記出窓６の下端部に取り付けられてなる玄関庇１０の取付構造であって、
前記出窓６は平面視矩形状に形成されており、
前記玄関庇１０は、前記庇本体２０と前記庇袖部３０，３０とによって平面視略凹字状に形成されており、
前記玄関庇１０は、当該玄関庇１０の内側面が前記出窓６の外側面に接するようにして前記出窓６および前記外壁３に固定されていることを特徴とする。
【００１６】
請求項５に記載の発明によれば、平面視略凹字状に形成された前記玄関庇１０は、平面視矩形状に形成された前記出窓６に対して適合しやすいので、前記玄関庇１０の内側面と前記出窓６の外側面とを接しさせやすい。これによって、前記玄関庇１０を前記出窓６に対して固定しやすくなるとともに、前記玄関庇１０と前記出窓６との一体感、前記玄関庇１０と前記外壁３との一体感を向上させることができる。
【発明の効果】
【００１７】
本発明によれば、出窓の下端部に取り付けられた玄関庇によって玄関の上方を広く覆うことができるとともに、雨水を効率良く集水でき、しかも、外観性の向上を図ることが可能となる。
【図面の簡単な説明】
【００１８】
【図１】玄関庇が採用される建物を示す斜視図である。
【図２】出窓の下端部に玄関庇が取り付けられた状態を示す斜視図である。
【図３】出窓の下端部に玄関庇が取り付けられた状態を示す正面側の斜視図である。
【図４】玄関庇の平面図である。
【図５】庇本体の側面側の断面図である。
【図６】庇本体および庇袖部の側面側の断面図である。
【図７】庇本体および庇袖部の正面側の断面図である。
【図８】庇袖部の正面側の断面図である。
【図９】玄関庇の施工工程の一つを示す斜視図である。
【図１０】玄関庇の施工工程の一つを示す斜視図である。
【図１１】玄関庇の施工工程の一つを示す斜視図である。
【発明を実施するための形態】
【００１９】
以下、図面を参照して本発明の実施の形態について説明する。
図１において符号１は、建物を示す。この建物１は二階建ての住宅であり、上部に屋根２が設けられ、周囲に外壁３が設けられている。また、この建物１は、壁や床、屋根といった建物の構成要素を予め工場でパネル化しておき、施工現場でこれらのパネルを組み立てて構築するパネル工法で構築されるが、これに限られるものではなく、従来の軸組工法、壁式工法、ツーバイフォー工法等で構築されるものとしてもよい。
なお、前記外壁３には、後述する玄関ポーチ５や、後述する出窓６、窓等の開口部、バルコニー等が設けられている。
【００２０】
建物１の一方の側面の外壁３のうち、一階の玄関が設けられる位置の外壁３ａは、図１〜図３に示すように、周囲の外壁３よりも屋内側に後退して設けられている。この外壁３ａには玄関開口部が形成されるとともに、当該玄関開口部を開閉する玄関ドア４が設けられている。なお、この玄関ドア４の周囲にはドア枠材４ａが設けられている。
前記外壁３ａの両側端には、当該外壁３ａと前記一方の側面の外壁３との間に位置する他の外壁３ｂ，３ｂが設けられている。
また、外壁３ａの上端部と外壁３ｂ，３ｂの上端部との間には天井５ａがあり、外壁３ａの下端部と外壁３ｂ，３ｂの下端部との間には床５ｂがある。また、当該床５ｂは、地面よりも一段高く設定されるとともに、前記外壁３よりも外側に広がるようにして設けられている。そして、前記外壁３ａの前方の空間は、当該外壁３ａと、前記外壁３ｂ，３ｂと、前記天井５ａと、前記床５ｂとによって囲まれた玄関ポーチ５とされている。なお、前記天井５ａは、後述する軒天井部４０によって構成されている。
【００２１】
前記玄関ポーチ５の上方に位置する外壁３には、当該外壁３から前方に突出するようにして出窓６が設けられている。
この出窓６は、建物１の二階の高さ方向に長尺であり、上端部が、ガラス等の面材付きの窓サッシ６ａが組み込まれた部位とされている。すなわち、いわゆる高窓として機能する。なお、窓サッシ６ａは、出窓６の前面および両側面の３箇所に設けられている。
また、この出窓６の上端部には、玄関庇１０とは異なる庇７が設けられている。
【００２２】
前記出窓６の中央部および下部は、窓等の開口部が無い壁面６ｂとされており、出窓６の前面および両側面の三方に、当該壁面６ｂを形成するための壁体６ｃ（壁パネル）が設けられている。
なお、この壁面６ｂは、表面に前記一方の側面の外壁３とは異なる仕上げを施すことにより、建物１の外観に付与されるアクセントとして機能する。この場合、例えば外壁３をタイル張りとし、壁面６ｂに無地の外壁材を取り付ける等の手法がとられる。本実施の形態においては、前記壁面６ｂに無地の外壁材８が取り付けられている。
また、壁面６ｂの裏側、すなわち壁体６ｃの屋内側は空洞とされていてもよいし、例えば屋内側から使用できる収納空間とされていてもよい。
【００２３】
前記出窓６の下端部には、図１〜図１１に示すように、玄関庇１０が取り付けられている。玄関庇１０は、前記出窓６の前面に固定される庇本体２０と、この庇本体２０の両端部に一体形成され、外壁側端部が前記外壁３に固定される複数の庇袖部３０，３０と、軒天井部４０と、を備える。なお、前記庇本体２０と前記庇袖部３０とが互いに接する部分は、適宜溶接されて一体化されたり、テクスビス等によって適宜留め付けられたりしている。
【００２４】
また、この玄関庇１０は、前記庇本体２０と前記庇袖部３０，３０とによって平面視略凹字状に形成されている。なお、前記出窓６は、この玄関庇１０の形状に対応し、平面視矩形状に形成されている。すなわち、これら玄関庇１０と出窓６は、凹凸嵌合するように構成されている。より詳細に説明すると、玄関庇１０は、当該玄関庇１０の内側面が前記出窓６の外側面に接するようにして前記出窓６および前記外壁３に固定されている。
なお、前記外壁３に対する玄関庇１０の突出寸法は、前記庇７の突出寸法および前記屋根２の突出寸法よりも長く設定されている。すなわち、玄関庇１０は、前記外壁３に対して、前記庇７および前記屋根２よりも大きく外側に張り出した状態となっている。
【００２５】
まず、前記庇本体２０について説明する。
前記庇本体２０は、基部２１と、樋部２２と、外周部２３と、傾斜面部２４と、ドレーン２５と、を有する。
本実施の形態の庇本体２０は、多くの部分が金属性の板材を適宜加工したものである。また、金属以外の材料も適宜用いられている。
【００２６】
前記樋部２２は、図４，図５に示すように、前記庇本体２０の軒先側端部側に配置され、当該庇本体２０の幅方向に沿って、かつ上面に開口して設けられるものである。より詳細に説明すると、この樋部２２は、側断面視において、前記庇本体２０の中央部よりも軒先側端部に配置されている。
この樋部２２は、玄関庇１０自体の幅方向に沿って長尺で、かつ矩形状に形成された底部２２ａと、この底部２２ａの周縁部から上方に立ち上がる周壁部２２ｂと、上面開口部２２ｃと、を有する。そして、この樋部２２の上部には、前記上面開口部２２ｃを覆うための樋カバー２２ｄが設けられる。
前記樋カバー２２ｄは、当該樋カバー２２ｄを厚さ方向に貫通する多数の孔を備えており、雨水等の水を樋部２２の内部に流すことができるとともに、落ち葉やごみ等が前記上面開口部２２ｃから樋部２２の内部に侵入することを防ぐことができる。
【００２７】
また、前記樋部２２には、前記ドレーン２５が設けられている。このドレーン２５は前記樋部２２の左右両端部のいずれか一方に設けられる。また、このドレーン２５の下端部は、軒天井部４０の下面よりも下方に突出している。
なお、前記樋部２２の底部２２ａおよび軒天井部４０には、このドレーン２５の下端部が挿通される孔４１が適宜形成される。
【００２８】
前記基部２１は、前記出窓６の前面から突出する前記庇本体２０自体の基端に位置するものであり、前記庇本体２０を全体的に見た場合に、前記樋部２２よりも前記出窓６側に位置する部分を指している。
また、この基部２１は、複数本のボルト２１ａおよびナット２１ｂと、複数本のコーチスクリュー２１ｃを用いて前記出窓６の下端部前面に固定されている。
また、基部２１の出窓側面と、前記出窓６の前面との間にはボード状の不燃材２１ｄが設けられている。すなわち、これら基部２１と前記出窓６との間は耐火構造となっている。不燃材２１ｄとしては、例えば石膏ボードや、木質系セメント板等が適宜使用される。
【００２９】
なお、より詳細に説明すると、前記不燃材２１ｄは、基部２１の出窓側面を構成する断面略Ｃ字状の板材２１ｅと、前記出窓６の前面との間に設けられている。また、板材２１ｅは、図７に示すように、前記出窓６の前面に対応する中央部と、その両端部とが段違いとなるように形成されている。また、当該板材２１ｅの両端部は、当該板材２１ｅの中央部よりも上下方向の長さが短く形成されている。さらに、この板材２１ｅのうち、前記複数本のボルト２１ａおよび前記複数本のコーチスクリュー２１ｃが設けられる部位は、二重に補強された状態となっており、玄関庇１０の設置時に、当該玄関庇１０の自重に耐え得る強度を有する。
【００３０】
さらに、前記板材２１ｅと前記不燃材２１ｄは、前記庇本体２０の領域と前記庇袖部３０の領域とを区分する役目を担っている。すなわち、概略的に、前記出窓６の前面よりも前方に位置する部位の大部分が前記庇本体２０とされ、前記出窓６の前面よりも前記外壁３側で、かつ玄関庇１０の両端部側に位置する部位の大部分が前記庇袖部３０とされている。ここで、概略的としたのは、あくまで玄関庇１０自体が、略凹字状に形成されていればよいためである。特に、後述の庇本体２０側の外周部２３と、後述の庇袖部３０の外周部３３との間には特に明確な境界はなく、一体形成されていてもよい。
また、前記基部２１は、この基部２１の樋部側端部に設けられる断面略Ｃ字状のチャンネル材２１ｆを備える。このチャンネル材２１ｆは、前記樋部２２の周壁部２２ｂと対向するとともに、前記板材２１ｅと対向しており、後述する傾斜面部２４の合板２４ｂに固定されている。
【００３１】
前記複数本のボルト２１ａおよび前記複数本のコーチスクリュー２１ｃは、前記出窓６の下端部と、前記不燃材２１ｄと、前記基部２１の出窓側面（すなわち、前記板材２１ｅ）とを貫通するようにして設けられている。なお、前記ボルト２１ａの施工時にはボルト孔を事前に形成し、前記コーチスクリュー２１ｃの施工時には下孔を事前に形成しておくようにする。
なお、前記出窓６の下端部には、前記壁面６ｂを構成する３箇所の壁体６ｃの下面に沿って略コ字状に組まれた“まぐさ６ｄ”が取り付けられている。すなわち、前記出窓６の壁面６ｂは、前記壁体６ｃだけでなく、当該まぐさ６ｄを含んで構成されているものとする。したがって、前記複数本のボルト２１ａおよび前記複数本のコーチスクリュー２１ｃは、前記まぐさ６ｄを貫通するようにして設けられている。
また、前記複数本のボルト２１ａおよび前記複数本のコーチスクリュー２１ｃを設ける際には適宜座金が使用される。
【００３２】
前記傾斜面部２４は、前記基部２１の上部を構成している。この傾斜面部２４は、前記庇本体２０の出窓側端部に配置され、前記出窓６の前面側から前記樋部２２に向かう水勾配が形成されている。
この傾斜面部２４は、金属製の上面板部２４ａと、この上面板部２４ａの下地となる合板２４ｂと、を備える。そして、この合板２４ｂによって傾斜面部２４自体の強度を高めることができる。
さらに、この傾斜面部２４の前記上面板部２４ａの出窓側端部には、固定板部２４ｃが一体形成されている。この固定板部２４ｃは、前記出窓６の前面に沿って上方に立ち上がるとともに、前記出窓６の前面に対してビス等により固定されるものである。また、この固定板部２４ｃは、建物１の施工完了後、前記外壁材８によって遮蔽された状態となる。
【００３３】
前記外周部２３は、前記庇本体２０を全体的に見た場合に、前記基部２１および前記樋部２２の外周縁部に設けられた部分を指している。すなわち、この外周部２３は、前記庇本体２０自体の前面および両側面に設けられ、前記基部２１および前記樋部２２を囲むようにして設けられている。
また、この外周部２３は、内側面材２３ａと、外側面材２３ｂと、を備える。
前記内側面材２３ａは、断面略Ｃ字状に形成され、その側面部が前記樋部２２に対向している。さらに、その上面部は、前記樋部２２に向かって下り勾配となるように傾斜している。
前記外側面材２３ｂは、前記庇本体２０の軒先側端部となる部分であり、断面略Ｃ字状に形成され、その側面部が外側向きに配置されている。さらに、その上面部は、前記内側面材２３ａの上面部に沿って、かつ前記樋部２２に向かって下り勾配となるように傾斜しており、これによって、前記庇本体２０の軒先側端部における傾斜面部２３ｃとされている。また、その下面部の端部には、断面略Ｌ字状に形成され、軒天井部４０の端部が載置されるとともに当該端部を遮蔽する載置部２３ｄが設けられている。
【００３４】
次に、前記庇袖部３０について説明する。
前記庇袖部３０は、前記庇本体２０の幅方向両端部から前記外壁３側に突出するようにして当該庇本体２０に一体形成されている。そして、前記庇本体２０の幅方向両端部に設けられた庇袖部３０それぞれは、基部３１と、排水溝３２と、外周部３３と、傾斜面部３４と、固定部３５と、を有する。
本実施の形態の庇袖部３０は、多くの部分が金属性の板材を適宜加工したものである。また、金属以外の材料も適宜用いられている。
【００３５】
前記排水溝３２は、前記外壁３側から前記庇本体２０の前記樋部２２に向かう水勾配があり、かつ前記庇袖部３０の上面に開口するものである。そして、この排水溝３２は、前記傾斜面部３４を構成する部材（上面板部３４ａ）と、前記外周部３３を構成する部材（内側面材３３ａ、外側面材３３ｂ）と、によって構成されている。
また、この排水溝３２は、断面視において、前記庇袖部３０の中央部よりも外側（玄関庇１０の幅方向の外側）に配置されている。
さらに、この排水溝３２の樋部側端部は、前記樋部２２の両端部に連通しており、当該排水溝３２を流れる雨水等が前記樋部２２に流れ込むように設定されている。なお、この排水溝３２は、前記庇袖部３０側から前記庇本体２０側にかけて、これら双方の領域にわたって設けられるものである。すなわち、玄関庇１０を全体的に見れば、当該玄関庇１０の両端部において前記外壁３から前記樋部２２にかけて設けられるものである。
【００３６】
前記基部３１は、前記出窓６の側面に設けられる前記庇袖部３０自体の基端に位置するものであり、前記庇袖部３０を全体的に見た場合に、前記排水溝３２よりも前記出窓６側に位置する部分を指している。また、この基部３１は、前記固定部３５を介して前記外壁３に固定されている。
また、この基部３１は、当該基部３１の出窓側面を構成する板材３１ａと、当該板材３１ａと前記出窓６の側面との間に設けられるボード状の不燃材３１ｂと、を備える。すなわち、これら基部３１と前記出窓６との間は耐火構造となっている。不燃材３１ｂとしては、例えば石膏ボードや、木質系セメント板等が適宜使用される。
【００３７】
前記傾斜面部３４は、前記基部３１の上部を構成している。この傾斜面部３４は、前記庇袖部３０の出窓側端部に配置され、前記出窓６の側面側から前記排水溝３２に向かう水勾配が形成されている。また、この傾斜面部３４は、前記庇本体２０の前記傾斜面部２４と一体形成されている。
この傾斜面部３４は、金属製の上面板部３４ａと、この上面板部３４ａの下地となる合板３４ｂと、を備える。そして、前記上面板部３４ａの排水溝側端部と、後述する外周部３３の内側面材３３ａおよび外側面材３３ｂとによって前記排水溝３２が構成されている。また、前記合板３４ｂによって傾斜面部３４自体の強度を高めることができる。
さらに、この傾斜面部３４の前記上面板部３４ａの出窓側端部には、図８等に示すように、固定板部３４ｃが一体形成されている。この固定板部３４ｃは、前記出窓６の側面に沿って上方に立ち上がるとともに、前記出窓６の側面（前記まぐさ６ｄ）に対してビス等により固定されるものである。なお、この固定板部３４ｃは、前記庇本体２０側の前記固定板部２４ｃと一体形成されている。また、この固定板部３４ｃは、建物１の施工完了後、前記外壁材８によって遮蔽された状態となる。
【００３８】
前記固定部３５は、前記庇袖部３０の前記外壁３側に設けられ、当該外壁３に固定されるものである。すなわち、前記庇袖部３０は、一端部が前記庇本体２０に一体形成され、他端部が前記外壁３に固定されている。
この固定部３５は、当該固定部３５の外壁側面を構成する板材３５ａと、当該板材３５ａと前記外壁３との間に設けられるボード状の不燃材３５ｂと、を備える。すなわち、これら固定部３５と前記外壁３との間は耐火構造となっている。不燃材３５ｂとしては、例えば石膏ボードや、木質系セメント板等が適宜使用される。
また、この固定部３５は、前記板材３５ａと前記不燃材３５ｂとを貫通する複数の木ネジ３５ｄ，３５ｄによって前記外壁３に固定されている。なお、これら複数の木ネジ３５ｄ，３５ｄの施工時には前記板材３５ａに対して下孔を事前に形成しておくようにする。
さらに、この固定部３５の前記外壁３側の端部には、図８等に示すように、略Ｌ字状の固定板部３５ｃが一体形成されている。この固定板部３４ｃは、前記外壁３に沿って上方および外側に張り出すとともに、自身の角部が前記外壁３に対してビス等により固定されるものである。なお、この固定板部３５ｃは、前記傾斜面部３４の前記固定板部３４ｃと一体形成されている。
なお、前記板材３５ａは、前記基部３１の板材３１ａと一体的に形成されるとともに、後述する外周部３３の内側面材３３ａと一体的に形成されている。
【００３９】
前記外周部３３は、前記庇袖部３０を全体的に見た場合に、前記排水溝３２よりも外側に位置する部分を指している。この外周部３３は、前記庇本体２０の前記外周部２３と一体形成されている（または同一の部材として構成されている）。
また、この外周部３３は、内側面材３３ａと、外側面材３３ｂと、を備える。
前記内側面材３３ａは、断面略Ｃ字状に形成され、その側面部は外側向きに配置され、その上面部は前記排水溝３２に向かって下り勾配となるように傾斜している。
前記外側面材３３ｂは、前記庇袖部３０の軒先側端部となる部分であり、断面略Ｃ字状に形成され、その側面部が外側向きに配置されている。さらに、その上面部は、前記内側面材３３ａの上面部に沿って、かつ前記排水溝３２に向かって下り勾配となるように傾斜しており、これによって、前記庇本体２０の外側端部における傾斜面部３３ｃとされている。また、その下面部の端部には、断面略Ｌ字状に形成され、軒天井部４０の端部が載置されるとともに当該端部を遮蔽する載置部３３ｄが設けられている。
そして、前記内側面材３３ａの排水溝側端部および前記外側面材３３ｂの排水溝側端部と、前記傾斜面部３４の前記上面板部３４ａの排水溝側端部とによって前記排水溝３２が構成されている。
【００４０】
なお、前記庇袖部３０の外壁側端部には、前記固定部３５の前記固定板部３５ｃに接するようにして端部カバー３６が設けられている。この端部カバー３６によって、前記庇袖部３０の外壁側端部の防水性を向上することができる。
【００４１】
また、図２，図５〜図８に示すように、前記玄関を有する建物１の施工完了後における前記庇本体２０および前記庇袖部３０の出窓側端部の上端部と軒先側端部の上端部とが略等しい高さに位置する。
すなわち、前記庇本体２０の傾斜面部２４の固定板部２４ｃと、前記庇袖部３０の傾斜面部３４の固定板部３４ｃは前記外壁材８によって遮蔽された状態となっている。したがって、建物１の施工完了後は、前記傾斜面部２４の上面板部２４ａの上端部と、前記傾斜面部３４の上面板部３４ａの上端部が、前記庇本体２０および前記庇袖部３０の出窓側端部の上端部となる。
一方、前記庇本体２０および前記庇袖部３０の軒先側端部の上端部とは、前記庇本体２０の外周部２３を構成する前記外側面材２３ｂの上端部と、前記庇袖部３０の外周部３３を構成する前記外側面材３３ｂの上端部とを指している。
つまり、前記傾斜面部２４の上面板部２４ａの上端部と、前記傾斜面部３４の上面板部３４ａの上端部と、前記外側面材２３ｂの上端部と、前記外側面材３３ｂの上端部は、略等しい高さに位置している。
【００４２】
次に、前記軒天井部４０について説明する。
前記軒天井部４０は、前記出窓６の下面と前記庇本体２０の下面と前記庇袖部３０の下面にわたって設けられている。
より詳細に説明すると、前記玄関庇１０の下面と、前記出窓６の下面と、前記玄関ポーチ５の前記天井５ａを覆うようにして取り付けられている。すなわち、前記出窓６において、この軒天井部４０は前記まぐさ６ｄの下面にビス等によって取り付けられて固定されている。また、前記玄関ポーチ５において、この軒天井部４０は前記天井５ａを構成するものであり、図示しない野縁に対して固定されている。
【００４３】
また、前記玄関庇１０において、前記軒天井部４０は、当該軒天井部４０の外周端部が前記庇本体２０側の前記載置部２３ｄと、前記庇袖部３０側の前記載置部３３ｄとに載置されている。
前記庇本体２０および前記庇袖部３０，３０のそれぞれには、図５〜図８，図１１に示すように、前記軒天井部４０を固定するための野縁４２が取り付けられている。前記野縁４２は、その両端部それぞれが、固定金具４３を介して前記庇本体２０および前記庇袖部３０，３０に固定されている。
【００４４】
前記固定金具４３は、平面視において略Ｌ字状に形成されており、Ｌ字の一方の片が前記庇本体２０や前記庇袖部３０を構成する板材２１ｅ，３５ａ、内側面材２３ａに固定されている。さらに、Ｌ字の他方の片が、各野縁４２の端部に固定されている。
より詳細に説明すると、前記野縁４２は、前記庇本体２０に対しては二本設けられている。これら二本の野縁４２，４２は、前記庇本体２０の幅方向に沿って配置されている。これら二本の野縁４２，４２用の固定金具４３は、前記外周部２３のうち前記庇本体２０の幅方向両端部に位置する前記内側面材２３ａのそれぞれに固定されている。そして、前記二本の野縁４２，４２は、前記庇本体２０の幅方向両端部側にそれぞれ固定された固定金具４３，４３間に架け渡されるようにして固定されている。
また、前記野縁４２は、前記庇袖部３０に対しては一本設けられている。この野縁４２は、前記庇袖部３０の長さ方向に沿って配置されている。この野縁４２用の固定金具４３は、前記庇本体２０の前記基部２１を構成する前記板材２１ｅと、前記庇袖部３０の前記固定部３５を構成する前記板材３５ａのそれぞれに固定されている。そして、前記一本の野縁４２は、これら固定金具４３，４３間に架け渡されるようにして固定されている。
前記野縁４２は、ビス等によって前記固定金具４３に留め付けられている。なお、現場施工時にビスを留め付けにくい場合は、図８に示すように、ビスを斜め打ちしてもよい。
【００４５】
なお、前記軒天井部４０は、図１１に示すように、複数枚の軒天井材４０ａによって構成されている。本実施の形態においては三枚の軒天井材４０ａが用いられており、中央に配置される軒天井材４０ａは矩形状に形成されており、両側に配置される軒天井材４０ａ，４０ａは略Ｌ字状に形成され、前記庇本体２０の両端部の下面と前記庇袖部３０，３０の下面とを覆うことができるようになっている。
前記ドレーン２５の下端部を挿通させるための孔４１は、前記両側に配置される軒天井材４０ａ，４０ａのどちらか一方に形成される。もしくは、これら両側の軒天井材４０ａ，４０ａの双方に孔４１を形成し、使用しない一方の孔４１に蓋をしてもよい。
【００４６】
次に、以上のような玄関庇１０の取付方法について説明する。
まず、前記玄関庇１０を、後施工される部材を除いて、工場等で予め組み立てておく。
そして、前記出窓６の形成後、図９に示すように、当該出窓６の下端部に、前記玄関庇１０が取り付けられる範囲よりも若干広い範囲に耐水シート５０を貼り付ける。
続いて、ドリルによって前記ボルト２１ａ用のボルト孔と前記コーチスクリュー２１ｃ用の下孔を前記まぐさ６ｄに形成する。そして、前記ボルト２１ａを前記下孔に、前記まぐさ６ｄの玄関側（裏側）から差し込んで固定しておく。
なお、本実施の形態においては前記ボルト２１ａの頭部には、ビス孔が形成された座金が一体形成されており、この座金を前記まぐさ６ｄに対してビス固定することによって、前記ボルト２１ａを前記まぐさ６ｄに固定している。
【００４７】
続いて、前記玄関庇１０を、前記出窓６の下端部の高さまで持ち上げる。続いて、前記玄関庇１０を、前記庇本体２０の前記不燃材２１ｄと前記板材２１ｅに形成されたボルト孔に前記ボルト２１ａを挿入するようにして、前記出窓６側に近付けていく。そして、この玄関庇１０を、当該玄関庇１０の内側面が前記出窓６の外側面に接するまで寄せる。
玄関庇１０の内側面が前記出窓６の外側面に接したら、図９に示すように、前記ナット２１ｂおよび前記コーチスクリュー２１ｃによって、前記庇本体２０前記出窓６の前面に固定する。
なお、この時、前記庇袖部３０の前記固定部３５が前記外壁３に接している。したがって、この固定部３５も、前記庇本体２０の固定作業と同時に、前記木ネジ３５ｄによって前記外壁３に固定する。
【００４８】
続いて、前記庇本体２０の前記傾斜面部２４を構成する前記固定板部２４ｃを、ビス等によって前記出窓６の前面に固定する。
また、前記庇袖部３０の前記傾斜面部３４を構成する前記固定板部３４ｃを、ビス等によって前記出窓６の側面に固定する。さらに、前記庇袖部３０の前記固定部３５を構成する前記固定板部３５ｃを、ビス等によって前記外壁３に固定する。
【００４９】
続いて、図１０に示すように、前記固定板部２４ｃ，３４ｃ，３５ｃの上から、防水シート５１を貼り付ける。
以上のようにして、前記庇本体２０および前記庇袖部３０の取り付けが行われる。
【００５０】
続いて、前記ドレーン２５を前記樋部２２に対して取り付けて、その後、前記樋カバー２２ｄをビス等によって前記樋部２２に取り付ける。
【００５１】
次に、前記軒天井部４０を施工する。
まず、本実施の形態においては、前記野縁４２を前記固定金具４３に対して取り付けていく。また、前記両側の軒天井材４０ａ，４０ａのどちらか一方のうち、前記ドレーン２５に対応する位置に、このドレーン２５用の孔４１を形成しておく。
続いて、前記軒天井材４０ａを、端部を前記載置部２３ｄ，３３ｄに載置しながら、図１１に示すように、前記玄関庇１０の下面と、前記出窓６の下面と、前記玄関ポーチ５の前記天井５ａを覆うようにして取り付けていく。そして、ビス等を前記野縁４２に打ち込むことによって前記軒天井材４０ａを適宜固定する。
【００５２】
以上のようにして前記玄関庇１０の取り付けが行われる。
その後は、前記出窓６の壁面６ｂに対して前記外壁材８を取り付けたり、前記外壁３に外壁材を取り付けたりして、建物１の外壁の仕上げ作業を行っていくものとする。これによって、前記庇本体２０の傾斜面部２４の固定板部２４ｃと、前記庇袖部３０の傾斜面部３４の固定板部３４ｃと、前記固定部３５の固定板部３５ｃとを遮蔽することができる。
【００５３】
本実施の形態によれば、前記出窓６の下端部に、前記庇本体２０と、当該庇本体２０と一体形成される前記庇袖部３０，３０とが設けられるので、前記出窓６の下端部だけで前記玄関の上方を覆う場合に比して、より広い範囲で前記玄関の上方を覆うことができる。これによって、前記玄関の外側で雨を凌ぎやすくなる。
また、前記出窓６の前面から前記庇本体２０に向かって流れ落ちる雨水を、前記傾斜面部２４を通じて前記樋部２２へと流すことができる。さらに、前記庇袖部３０，３０に降った雨水を、前記排水溝３２，３２を通じて前記樋部２２へと流すことができる。しかも、前記ドレーン２５に対して例えば竪樋等を取り付けることによって前記樋部２２に集められた雨水を排出することができる。これによって、前記出窓６から流れ落ちる雨水や、前記庇本体２０および前記庇袖部３０，３０に降った雨水を、前記樋部２２によって効率良く集水できるので、雨水が勢いよく下方に落ちることを防ぐことができる。
また、前記庇本体２０は前記樋部２２を備え、前記樋部２２の取り付けが想定されたものであるから、前記庇本体２０に対する納まりが良い。しかも、前記樋部２２は前記庇本体２０の上面に開口するものであるため、下から前記庇本体２０を見上げても前記樋部２２が目に入ることがないので、外観性の向上を図ることができる。
【００５４】
また、前記出窓６の側面から前記庇袖部３０，３０に向かって流れ落ちる雨水を、前記傾斜面部３４，３４を通じて前記排水溝３２，３２へと流すことができる。
また、前記庇袖部３０，３０の前記傾斜面部３４，３４と前記庇本体２０の前記傾斜面部２４とが一体形成されているので、これら傾斜面部２４，３４同士の間における防水性を確保できる。
【００５５】
また、前記庇本体２０および前記庇袖部３０，３０の出窓側端部の上端部と軒先側端部の上端部とが略等しい高さに位置するので、前記玄関庇１０を、下から見上げるだけでなく、遠くからまたは多方向から見た場合であっても、前記庇本体２０の上面に前記樋部２２があることを気付かせにくく、より一層、外観性の向上に貢献できる。
【００５６】
また、前記軒天井部４０によって、前記出窓６と前記庇本体２０と前記庇袖部３０，３０との継目を遮蔽でき、前記出窓６と前記庇本体２０と前記庇袖部３０，３０との一体感を向上させることができるとともに、外観性の向上を図ることができる。
【００５７】
また、平面視略凹字状に形成された前記玄関庇１０は、平面視矩形状に形成された前記出窓６に対して適合しやすいので、前記玄関庇１０の内側面と前記出窓６の外側面とを接しさせやすい。これによって、前記玄関庇１０を前記出窓６に対して固定しやすくなるとともに、前記玄関庇１０と前記出窓６との一体感、前記玄関庇１０と前記外壁３との一体感を向上させることができる。
【符号の説明】
【００５８】
１  建物
３  外壁
５  玄関ポーチ
６  出窓
１０  玄関庇
２０  庇本体
２２  樋部
２４  傾斜面部
２５  ドレーン
３０  庇袖部
３２  排水溝
３４  傾斜面部
４０  軒天井部
【図１】
2014190013.tif 000003
【図２】
2014190013.tif 000004
【図３】
2014190013.tif 000005
【図４】
2014190013.tif 000006
【図５】
2014190013.tif 000007
【図６】
2014190013.tif 000008
【図７】
2014190013.tif 000009
【図８】
2014190013.tif 000010
【図９】
2014190013.tif 000011
【図１０】
2014190013.tif 000012
【図１１】
2014190013.tif 000013